(57)【特許請求の範囲】
【請求項１】
屋内に設置される屋内装置と屋外に設置される屋外装置から構成され、前記屋外装置の無線機能により該屋外装置と対向する無線基地局と通信を行う無線装置において、
前記屋内装置は、
前記屋外装置から所定の信号が受信されているか否かの状態、及び前記屋外装置が異常か否かの状態を表示する表示手段
を具備すると共に、
前記屋外装置は、
受信レベルが異常か否かの状態、及び送信レベルが異常か否かの状態を表示する表示手段
を具備することを特徴とする無線装置。
【請求項２】
前記表示手段は、
前記各状態を識別可能に点灯、消灯若しくは点滅されるＬＥＤから成る
ことを特徴とする請求項１記載の無線装置。
【発明の詳細な説明】
【０００１】
【発明の属する技術分野】
本発明は、屋内に設置する屋内装置と屋外に設置する屋外装置とから構成される無線装置に関し、詳しくは、通信障害が発生した時に障害個所をより細かに切り分け可能にするための屋内装置及び屋外装置の状態表示制御の改良に関する。
【０００２】
【従来の技術】
例えば、通信事業者の通信網に対して加入者端末からアクセスして通信サービスを利用する場合のシステム形態として、通信事業者の交換局等と接続された無線基地局に対して複数の加入者無線局を対向配置して該基地局と各加入者無線局間でポイント・ツウ・マルチポイント（Ｐ−ＭＰ）通信を行う無線区間を設け、加入者無線局に接続された加入者端末から通信事業者の通信網へ無線によりアクセス可能にした無線アクセスシステムが知られている。
【０００３】
この種のシステムに用いる加入者無線局としては、屋内装置と屋外装置とで構成され、屋内装置を例えば建物内に設置し、屋外装置を同建物の屋上等に設置したうえで、屋内装置にパソコン等の加入者端末を接続して運用するものがある。
【０００４】
かかる従来の加入者無線局では、屋内装置に異常表示用のＬＥＤを設け、データの有無や、装置の故障等に応じて対応する各ＬＥＤを駆動することで、異常表示を行っていた。
【０００５】
かかる従来の加入者無線局によれば、屋内装置に設けられたＬＥＤの表示パターンだけを見て異常状態を判断するため、無線区間の障害、屋外装置の故障、屋内装置と屋外装置間の接続ケーブルの不良等のいずれの要因で異常状態表示がなされているかを判断し難かった。
【０００６】
このため、従来は、屋内装置のＬＥＤで異常表示がなされた場合、無線区間（通信事業者側）の障害であってもそのことを判断できないことから、故障でもない屋外装置を交換してしまう等の事態が起こり得、保守費用を無闇に高騰させる危険性が高かった。
【０００７】
なお、屋内装置のＬＥＤが異常表示となった後、屋外装置まで出向いて該屋外装置のより細かな状態確認を行うといった方法も考えられる。
【０００８】
しかしながら、屋外装置は高所に設置することが多く、設置後、無線区間の障害や機器故障が発生した場合、屋外装置の状態確認は非常に困難であった。
【０００９】
【発明が解決しようとする課題】
このように、無線アクセスシステムの加入者無線局に代表される、屋内装置と屋外装置とから構成される従来の無線装置では、通信障害になった場合、屋内装置に設けた異常表示用ＬＥＤの表示だけを頼りにデータの有無、装置の故障を判断していたため、無線区間の故障、屋外装置の故障、屋内装置と屋外装置間のケーブルの不良等、どの個所が異常かを判断するのが難しく、故障もしていない屋外装置を交換してしまうことで保守費用が無駄にかかったり、正常通信への復帰が遅れるという問題点があった。
【００１０】
本発明は上記問題点を除去し、無線区間、屋外装置、屋外装置と屋外装置間等の異常個所の切り分けを明確にし、異常でもない屋外装置を交換してしまう等による保守費用の高騰を抑えると共に、正常通信へと迅速に復帰可能な無線装置を提供することを目的とする。
【００１１】
【課題を解決するための手段】
上記目的を達成するために、請求項１記載の発明は、屋内に設置される屋内装置と屋外に設置される屋外装置から構成され、前記屋外装置の無線機能により該屋外装置と対向する無線基地局と通信を行う無線装置において、前記屋内装置は、前記屋外装置から所定の信号が受信されているか否かの状態、及び前記屋外装置が異常か否かの状態を表示する表示手段を具備すると共に、前記屋外装置は、受信レベルが異常か否かの状態、及び送信レベルが異常か否かの状態を表示する表示手段を具備することを特徴とする。
【００１２】
請求項２記載の発明は、上記請求項１記載の発明において、前記表示手段は、前記各状態を識別可能に点灯、消灯若しくは点滅されるＬＥＤから成ることを特徴とする。
【００１４】
【発明の実施の形態】
以下、本発明の実施の形態について添付図面を参照して詳細に説明する。
【００１５】
図１は、本発明に係わる無線アクセスシステムの全体構成を示す図である。
図１において、セルＡ、セルＢは、それぞれ、本システムのサービスエリア全体の内の１サービスエリアを示している。セルＡ内には、１つの基地局１００Ａと複数の加入者無線局２００−１，２００−２，２００−３，２００−４が配置されている。
【００１６】
基地局１００Ａと各加入者無線局２００−１、２００−２、２００−３、２００−４間には、それぞれ、上り回線（加入者無線局２００から基地局１００方向）と下り回線（基地局１００から加入者無線局２００方向）が設定され、これら両回線を利用して、基地局１００Ａと各加入者無線局２００−１、２００−２、２００−３、２００−４間のＰ−ＭＰ通信が行われる。
【００１７】
同様に、セルＢ内には、１つの基地局１００Ｂと複数の加入者無線局２００−１１，２００−１２，２００−１３，２００−１４が配置され、基地局１００Ｂと各加入者無線局２００−１１，２００−１２，２００−１３，２００−１４間で、それぞれ、上り回線と下り回線を利用したＰ−ＭＰ通信が行われる。
【００１８】
セルＡ，セルＢ内を仕切る点線は、それぞれ、当該セルＡ，セルＢに設定されるセクタの境界線を示している。本システムでは、セルＡ，セルＢが、それぞれ、セクタ１〜セクタ４の４つのセクタに区切られ、各セクタ毎に、上り回線と下り回線の使用周波数が配置されている。
【００１９】
また、本システムにおいて、基地局１００Ａ、１００Ｂは通信回線３００を介して公衆ネットワーク６００内のＡＴＭスイッチ４００に接続されている。ＡＴＭスイッチ４００は、ＡＴＭ（非同期転送モード）伝送方式に対応した交換機能を有する。
【００２０】
ＡＴＭスイッチ４００には、ネットワーク管理装置５００が接続される。ネットワーク管理装置５００は、ＡＴＭスイッチ４００の交換機能を利用して各セルＡ，Ｂ内の基地局１００及び加入者無線局２００とデータ伝送を行うことにより、当該各セルＡ，Ｂの動作の管理及び制御を行うものである。
【００２１】
更に、公衆ネットワーク６００は、ＡＴＭ網６１０、Ｉ−専用線網６２０、インターネットやイントラネット等の通信網６３０、フレームリレー網６４０、Ｎ−ＩＳＤＮ６５０等の通信網と接続されている。
【００２２】
これら各網の少なくともいずれか１つには、通信事業者の交換局（図示せず）が配置され、該交換局は当該通信事業者が提供する各種サービスに対応するデータを管理するシステム（以下、サービスシステムという）に接続されている。
【００２３】
通信事業者が運営する通信サービスへの加入者は、後述する加入者端末２３０から加入者無線局２００を介して該通信事業者のサービスシステムにアクセスすることにより当該通信サービスを利用することができる。
【００２４】
なお、図１ではセルＡ及びセルＢしか開示していないが、実際のシステム構成においては、セルＡ，セルＢに加えてこれら各セルと同じ態様（１つの基地局１００と複数の加入者無線局２００がＰ−ＭＰ通信を行う）から成る複数のセルが存在し、これら全セルによって上述したサービス提供可能エリア全体がカバーされるようになっている。また、各セルの各セクタ内に配置される加入者無線局２００も図示するように１つではなく、複数存在する。
【００２５】
図２は、図１におけるシステムの基地局１００及び加入者無線局２００の概略構成を示す図である。
【００２６】
図２において、基地局１００は、屋内装置（ＩＤＵ：INDOOR UNIT）１１０と屋外装置（ＯＤＵ：OUTDOOR UNIT）１２０とから構成される。
【００２７】
ＩＤＵ１１０には、ＯＤＵ１２０とのインターフェース機能を持つＯＤＵ Ｉ／Ｆ:ODU Interface Unit）１１１、ＯＤＵ Ｉ／Ｆ１１１とＡＴＭスイッチ４００との間のインターフェース機能を持つＡＩＵ（Air Interface Unit）１１２、ＩＤＵ１１０全体の動作制御を行う制御部１１３が備わる。
【００２８】
基地局１００において、ＯＤＵ１２０は各セクタ１、２、３、４毎に個別に設けられ、この例では４つのＯＤＵ１２０ａ、１２０ｂ、１２０ｃ、１２０ｄにより実現される。
【００２９】
また、基地局１００のＩＤＵ１１０において、ＯＤＵ Ｉ／Ｆ１１１は、上記各セクタ１、２、３、４毎のＯＤＵ１２０ａ、１２０ｂ、１２０ｃ、１２０ｄにそれぞれ対応した４つのＯＤＵ Ｉ／Ｆ１１１ａ、１１１ｂ、１１１ｃ、１１１ｄにより実現される。
【００３０】
一方、加入者無線局２００は、上記各セクタ１、２、３、４毎に配置され、それぞれ、該当するセクタのＯＤＵ１２０と対向して無線通信を行う屋外装置（ＯＤＵ）２１０と、該ＯＤＵ２１０と加入者宅内に設置される加入者端末２４０間のインターフェース機能を持つ屋内装置（ＩＤＵ）２２０とから構成される。
【００３１】
加入者端末２４０としては、１０Base-T端末（１０Base-Tの接続方式で実現されるパソコン等の端末）やＩＳＤＮ端末等の各種通信端末が用いられる。
【００３２】
基地局１００のＯＤＵ１２０と加入者無線局２００のＯＤＵ２１０間の無線区間は、例えば、２６ＧＨｚ帯のＴＤＭＡ（時分割多重接続）−ＦＤＤ（周波数分割運用）方式により運用される。
【００３３】
図２の構成において、ある加入者端末２４０から通信事業者のサービスシステムにアクセスする場合の動作について説明する。
【００３４】
この場合、加入者端末２４０で所定のアクセス操作が行われると、該操作に対応するアクセス要求信号が生成され、対応する加入者無線局２００に入力される。
【００３５】
加入者無線局２００では、自局に接続された加入者無線局２００から入力するアクセス要求信号をＩＤＵ２２０、ＯＤＵ２１０を経て上記無線区間に送出する。
【００３６】
この無線区間を挟んで加入者無線局２００に対向する基地局１００では、該加入者無線局２００から送出されたアクセス要求信号をＯＤＵ１２０により受信し、該ＯＤＵ１２０に対応するＯＤＵ  Ｉ／Ｆ１１１、ＡＩＵ１１２を介して制御部１１３に転送する。
【００３７】
制御部１１３は、加入者端末２４０からのアクセス要求信号に基づきＡＩＵ１１２を介して通信事業者のサービスシステムに加入者端末２４０を接続する制御を行う。
【００３８】
こうして加入者端末２４０が通信事業者のサービスシステムに接続された後、該サービスシステムからのデータは基地局１００のＡＩＵ１１２、ＯＤＵ  Ｉ／Ｆ１１１、ＯＤＵ１２０を介して無線区間に伝送され、対向する加入者無線局２００でＯＤＵ２１０により受信された後、ＩＤＵ２２０を介して加入者端末２４０に伝送される。
【００３９】
また、加入者端末２４０から送出されたデータは、上記とは逆に、対応する加入者無線局２００のＩＤＵ２２０、ＯＤＵ２１０を介して無線区間に送出され、対向する基地局１００でＯＤＵ１２０により受信された後、ＯＤＵ Ｉ／Ｆ１１１、ＡＩＵ１１２を介して上記サービスシステムへと伝送される。
【００４０】
次に、加入者無線局２００の構成及び動作について説明する。
【００４１】
図３は、本発明に係わる加入者無線局２００の詳細構成を示すブロック図である。
【００４２】
加入者無線局２００において、ＩＤＵ２２０とＯＤＵ２１０は、それぞれ、例えば加入者宅の屋内と屋外に設置され、後述する機能を有するスプリッタ２２１と２１１とを介してケーブル２３０により相互に接続されている。
【００４３】
ここで、加入者無線局２００のＩＤＵ２２０は、ＯＤＵ２１０との間で送受する主信号（加入者端末２４０と通信事業者のサービスシステム間の通信データ）及び制御信号を重畳／分離するスプリッタ２２１、上り方向の主信号の変調処理を行う変調部２２２、下り方向の主信号の復調処理を行う復調部２２３、上り方向の主信号と下り方向の主信号の切り換えを行う切換回路２２４、ＩＤＵ２２０全体の動作制御、ＯＤＵ２１０との間の主信号及び制御信号の受け渡し制御の他、ＯＤＵ２１０からＲＦ（中間周波数）信号が受信されているか否か、及びＯＤＵ２１０が異常か否かを検出し、これら検出結果をＬＥＤ表示部２２７に表示させる制御を行う制御部２２６、制御部２２６での検出結果を識別可能に点灯、消灯若しくは点滅駆動される発光ダイオード（ＬＥＤ）を備えたＬＥＤ表示部２２７を具備して構成される。
【００４４】
なお、制御部２２６内の構成において、ＲＦ信号検出部２２６１は、上述したＲＦ検出機能に相当するもので、ＯＤＵ２１０から送られてくるＲＦ信号（下りキャリア）の有無を復調部２２３を通じて検出する。
【００４５】
ＯＤＵアラーム検出部２２６２は、上述したＯＤＵ異常検出機能に相当するもので、ＯＤＵ２１０に対してＯＤＵ異常診断のためのポーリング信号を送出すると共に、このポーリング信号に対してＯＤＵ２１０から送られてくる応答信号を受信し、該応答信号に応じてＯＤＵ異常を検出する。
【００４６】
表示制御部２２６３は、上述したＬＥＤ駆動機能に相当するもので、ＲＦ信号検出部２２６１、ＯＤＵアラーム検出部２２６２の検出結果を表示すべく、予め定義された定義内容（図５参照）に従いＬＥＤ表示部２２７のＬＥＤを点灯、消灯若しくは点滅駆動する。
【００４７】
本実施形態において、ＩＤＵ２２０のＬＥＤ表示部２２７は、例えば、図４（ｂ）に示す如く、発光色が緑色のＲＦ表示用ＬＥＤ（緑）３１と、発光色が橙色のＯＤＵアラーム表示用ＬＥＤ（橙）３２を備えている。
【００４８】
一方、ＯＤＵ２１０は、ＩＤＵ２２０との間で送受する主信号及び制御信号を重畳／分離するスプリッタ２１１、対向基地局１００への上り方向の主信号の送信処理を行う送信部２１２、対向基地局１００からの下り方向の主信号の受信処理を行う受信部２１３、送信部２１２と受信部２１３でのアンテナ２１５の共用を実現するアンテナ共用器２１４、ＯＤＵ全体の動作制御、ＩＤＵ２２０との間の主信号及び制御信号の受け渡し制御の他、受信部２１３での受信レベルが異常か否か、該受信波形の歪みが異常か否か、及び送信部２１２での送信レベルが異常か否かを判定し、これら判定結果をＬＥＤ表示部２１７に表示させる制御を行う制御部２１６、制御部２１６での判定結果を識別可能に点灯、消灯若しくは点滅駆動されるＬＥＤを備えたＬＥＤ表示部２１７を具備して構成される。
【００４９】
なお、制御部２１６内の構成において、受信レベル／波形歪測定部２１６１は、上述した受信レベル及び波形歪み判定機能の一部を成すもので、アンテナ２１５で受信された対向基地局１００からの下り方向の主信号の受信レベルと該受信波形の歪みを受信部２１３を通じて測定する。
【００５０】
なお、受信波形歪みは、対向する基地局１００からの電波が、ビル等で反射して加入者無線局２００に届くことによりもたらされるものである。
【００５１】
送信レベル測定部２１６２は、上述した送信レベル判定機能の一部を成すもので、対向基地局１００へ送信する上り方向の主信号の送信レベルを送信部２１２を通じて測定する。
【００５２】
表示制御部２１６３は、上述したＬＥＤ駆動機能に相当するもので、受信レベル／波形歪測定部２１６１、送信レベル測定部２１６２の測定結果に基づく判定結果を表示すべく、予め定義された定義内容（図５参照）に従いＬＥＤ表示部２１７のＬＥＤを点灯、消灯若しくは点滅駆動する。
【００５３】
本実施形態において、ＯＤＵ２１０のＬＥＤ表示部２１７は、例えば、図４（ａ）に示す如く、発光色が緑色の受信レベル正常表示用ＬＥＤ（緑）１１、発光色が橙色の受信レベル異常表示用ＬＥＤ（橙）１２、発光色が緑色の送信レベル正常表示用ＬＥＤ（緑）２１、発光色が橙色の送信レベル異常表示用ＬＥＤ（橙）２２を備えている。
【００５４】
これまでも述べてきたように、ＯＤＵ２１０は、屋外に設置されるが、ＬＥＤ表示部２１７は、ＯＤＵ２１０設置後においても、各ＬＥＤ１１，１２，２１，２２が地上からも確認できる位置に設けることが望ましい。
【００５５】
上記構成を有する加入者無線局２００において、ＩＤＵ２２０に接続された加入者端末２４０が上述したアクセス制御動作により通信事業者のサービスシステムに接続された後の通信動作は以下の如くになされる。
【００５６】
まず、加入者端末２４０から出力された信号（主信号）は、ＩＤＵ２２０の切換回路２２４を通り変調部２２２に入力される。変調部２２２は、この信号を変調し、更に中間周波数（ＩＦ）に変換した後、スプリッタ２２１を介してＯＤＵ２１０に送出する。
【００５７】
ＯＤＵ２１０では、ＩＤＵ２２０から送られてくるＩＦ信号をスプリッタ２１１を介して送信部２１２に取り込み、ＩＦ信号から所定の無線周波数（ＲＦ）に周波数変換した後、アンテナ共用器２１４、アンテナ２１５を介して対向する基地局１００に送出する。
【００５８】
また、ＯＤＵ２１０は、対向する基地局１００から送られてくる無線信号（通信事業者のサービスシステムからの信号）をアンテナ２１５により受信し、アンテナ共用器２１４を通じて受信部２１３に取り込む。
【００５９】
受信部２１３は、上記受信信号をＩＦ信号に周波数変換した後、スプリッタ２１１を介してＩＤＵ２２０に送出する。
【００６０】
更に、ＩＤＵ２２０では、ＯＤＵ２１０から送られてくるＩＦ信号をスプリッタ２２１を介して復調部２２３に取り込み、該ＩＦ信号を元のデータに復調した後、切換回路２２４を通じて加入者端末２４０に送出する。
【００６１】
上記通信中、ＯＤＵ２１０において、制御部２１６は、受信レベル／波形歪測定部２１６１により、受信部２１３を通る主信号（基地局１００と加入者端末２４０間の下り通信路の主信号）の受信レベル及び波形歪みを測定する。
【００６２】
また、制御部２１６は、送信レベル測定部２１６１により、送信部２１２を通る主信号（基地局１００と加入者端末２４０間の上り通信路の主信号）の送信レベルを測定する。
【００６３】
次いで、制御部２１６は、測定された受信レベルと予め設定された受信レベル判定用閾値と比較することにより、該受信レベルが正常か異常かを判定する。同様に、表示制御部２１６は、測定された送信レベルと予め設定された送信レベル判定用閾値と比較することにより、該送信レベルが正常か異常かを判定する。
【００６４】
更に、制御部２１６は、表示制御部２１６３を起動し、受信レベルが異常か否か、及び送信レベルが異常か否かといった上記各判定結果に応じてＬＥＤ表示部２１７の対応する各ＬＥＤ１１，１２，２１，２２の駆動制御を行う。
【００６５】
一方、ＩＤＵ２２０において、制御部２２６は、ＲＦ信号検出部２２６１を用いて、復調部２２３よりＲＦキャリア（ＯＤＵ２１０から送られてくる下りキャリア）の有無を検出する。そして、このＲＦキャリアの有無に応じてＬＥＤ表示部２２７の対応するＬＥＤ３１の駆動制御を行う。
【００６６】
また、制御部２２６は、ＯＤＵアラーム検出部２２６１を起動し、ＯＤＵ２１０に対してＯＤＵ異常診断のためのポーリング信号を送出すると共に、このポーリング信号に対してＯＤＵ２１０から送られてくる応答信号を受信する。そして、この応答信号からＯＤＵ２１０が異常状態であるか否かを判定し、該判定結果に応じてＬＥＤ表示部２２７の対応するＬＥＤ３２の駆動制御を行う。
【００６７】
ここで、ＯＤＵ２１０は、ＩＤＵ２２０から送られてくる上記ポーリング信号を受信すると、自装置が異常の状態にあるか否かを診断し、その診断結果を上記応答信号としてＩＤＵ２２０に送信する機能を備えている。
【００６８】
上述した、ＯＤＵ２１０及びＩＤＵ２２０におけるＬＥＤ駆動制御は、ＯＤＵ２２０及びＩＤＵ２１０で監視対象とされる各状態に対応して予め定義されたＬＥＤ表示パターンに従って実施されるものである。
【００６９】
図５は、本実施形態の加入者無線局２００のＯＤＵ２２０及びＩＤＵ２１０での動作状態表示機能に係わる動作状態とＬＥＤ表示パターンの定義内容を示す表図である。
【００７０】
この表図によれば、ＯＤＵ２１０の受信レベル表示に係わる受信レベル状態とＬＥＤ表示パターンの関係については、ＬＥＤ（緑）の消灯はパワーオフ、ＬＥＤ（緑）の点灯は受信レベル・波形歪正常、ＬＥＤ（橙）の点灯は受信レベル異常、ＬＥＤ（橙）の点滅は受信波形歪異常を示すものと定義されている。
【００７１】
同様に、ＯＤＵ２１０の送信レベル表示に係わる送信レベル状態とＬＥＤ表示パターンの関係については、ＬＥＤ（緑）の消灯はパワーオフ、または入力無し、ＬＥＤ（緑）の点灯は送信レベル正常、ＬＥＤ（橙）の点灯は送信レベル異常を示すものと定義されている。
【００７２】
また、ＩＤＵ２２０のＲＦ表示に係わるＲＦキャリアとＬＥＤ表示パターンの関係については、ＬＥＤ（緑）の消灯は下りキャリア無し、またはパワーオフ、ＬＥＤ（緑）の点灯は下りキャリア有りを示すものと定義されている。
【００７３】
同様に、ＩＤＵ２２０のＯＤＵ異常表示に係わるＯＤＵアラームとＬＥＤ表示パターンの関係については、ＬＥＤ（橙）の消灯は正常、ＬＥＤ（橙）の点灯はＯＤＵアラームを示すものと定義されている。
【００７４】
先に述べたＯＤＵ２１０の制御部２１６によるＬＥＤ駆動制御において、表示制御部２１６３は、上記表図（図５）の定義内容に従い、受信レベルが正常（閾値超）でかつ受信波形歪みも正常であるとの判定結果に対してはＬＥＤ表示部２１７における受信レベル正常表示用ＬＥＤ（緑）１１を点灯させ、受信レベルが異常（閾値以下）であるとの判定結果に対しては受信レベル異常表示用ＬＥＤ（橙）１２を点灯させ、受信波形歪みが異常であるとの判定結果に対しては同ＬＥＤ（橙）１２を点滅させる。
【００７５】
また、表示制御部２１６３は、上記表図（図５）の定義内容に従い、送信レベルレベルが正常（閾値超）であるとの判定結果に対してはＬＥＤ表示部２１７における送信レベル正常表示用ＬＥＤ（緑）２１を点灯させ、送信レベルが異常（閾値以下）であるとの判定結果に対しては送信レベル異常表示用ＬＥＤ（橙）２２を点灯させる。
【００７６】
同じく、上述したＩＤＵ２２０の制御部２２６によるＬＥＤ駆動制御において、表示制御部２２６３は、上記表図（図５）の定義内容に従い、ＲＦ下りキャリア無しの判定に対してはＬＥＤ表示部２２７におけるＲＦ表示用ＬＥＤ（緑）３１を消灯にし、ＯＤＵアラーム有りの判定に対してはＯＤＵアラーム表示用ＬＥＤ（橙）３２を点灯させる。
【００７７】
一方、加入者無線局のユーザは、図５の表図の定義内容を予め知っておくことで、ＯＤＵ２１０及びＩＤＵ２２０での上述したＬＥＤ駆動制御に係わるＬＥＤ表示部２１７及び２２７のＬＥＤ表示パターンからＯＤＵ２１０及びＩＤＵ２２０の動作状態を以下のように判別できる。
【００７８】
例えば、ＯＤＵ２１０において、受信レベル正常表示用ＬＥＤ（緑）１１が消灯していればパワーオフであり、同ＬＥＤ（緑）１１が点灯していれば受信レベル及び波形歪がともに正常であることが分かる。また、受信レベル異常表示用ＬＥＤ（橙）１２が点灯していれば受信レベルが異常であることが分かり、同ＬＥＤ（橙）１２が点滅していれば受信波形歪異常であることが分かる。
【００７９】
また、ＯＤＵ２１０の送信レベル正常表示用ＬＥＤ（緑）２１が消灯していればパワーオフ、又は入力無しであることが分かり、同ＬＥＤ（緑）２１が点灯していれば送信レベルが正常であることが分かる。また、送信レベル異常表示用ＬＥＤ（橙）２２が点灯していれば送信レベル異常であることが分かる。
【００８０】
同様に、ＩＤＵ２２０のＲＦ表示用ＬＥＤ（緑）３１が消灯していれば下りキャリア無し、又はパワーオフであることが分かり、同ＬＥＤ（緑）３１が点灯していれば下りキャリア有りであることが分かる。
【００８１】
また、ＩＤＵ２２０のＯＤＵアラーム表示用ＬＥＤ（橙）３２が消灯していると正常でることが分かり、同ＬＥＤ（橙）３２が点灯しているとＯＤＵアラームの状態つまりＯＤＵ２１０が異常であることが分かる。
【００８２】
かかる構成の加入者無線局２００において、ＩＤＵ２２０は屋内に、ＯＤＵ２１０は屋外に設置されている。このため、加入者無線局２００に異常が発生した場合、屋内にいるユーザがＩＤＵ２２０のＬＥＤ表示部２２７のＬＥＤ表示パターンを見てその異常に気付くことが多い。
【００８３】
ここで、例えば、ＩＤＵ２２０のＬＥＤ表示部２２７において、ＯＤＵアラーム表示用ＬＥＤ（橙）３２が点灯している場合、ＯＤＵ２１０だけの異常なのか、ＯＤＵ２１０とＩＤＵ２２０間のケーブル２３０の異常なのかあるいは基地局１００との間の無線区間の異常なのかまでは判断がつかない。これは、ＩＤＵ２２０において、併設されるＲＦ表示用ＬＥＤ（緑）３１の表示パターンを併せて見たとしても同じことである。
【００８４】
しかしながら、本発明の加入者無線局２００では、ＩＤＵ２２０のみならずＯＤＵ２１０もＬＥＤ表示部２１７を備えている。しかも、ＯＤＵ２１０のＬＥＤ表示部２１７は地上から確認できる位置に設けられており、ユーザは、ＯＤＵ２１０の配設場所まで出向くという危険を冒すことなく該ＬＥＤ表示部２１７のＬＥＤ表示パターンを確認できる。
【００８５】
そして、本発明では、ＩＤＵ２２０のＬＥＤ表示部２２７でのＬＥＤ表示パターンと、ＯＤＵ２１０のＬＥＤ表示部２１７におけるＬＥＤ表示パターンの組合せから、より細かに切り分けた故障個所の特定が行える。
【００８６】
図６は、本発明の加入者無線局２００におけるＩＤＵ２２０及びＯＤＵ２１０のＬＥＤ表示パターンの組合せと故障個所の対応関係を示す表図である。
【００８７】
この表図によれば、ＩＤＵ２２０及びＯＤＵ２１０の双方に異常がない場合、ＩＤＵ２２０ではＬＥＤ表示部２２７のＯＤＵアラーム表示用ＬＥＤ（橙）３２が消灯しかつＲＦ表示用ＬＥＤ（緑）３１が点灯する一方、ＯＤＵ２１０ではＬＥＤ表示部２１７の受信レベル正常表示用ＬＥＤ（緑）１１及び送信レベル正常表示用ＬＥＤ（緑）２１が共に点灯している（表図中の番号１のパターン）。
【００８８】
また、ＩＤＵ２２０において、ＯＤＵアラーム表示用ＬＥＤ（橙）３２が点灯しかつＲＦ表示用ＬＥＤ（緑）３１が点灯している状態で、ＯＤＵ２１０のＬＥＤ表示部２１７を見た時に、受信レベル正常表示用ＬＥＤ（緑）１１が点灯し、かつ送信レベル正常表示用ＬＥＤ（緑）２１が点灯していれば（表図中の番号２のパターン）、故障個所の特定としては、ＯＤＵ２１０からポーリング応答が無いことによる異常であると判断できる。
【００８９】
また、ＩＤＵ２２０において、ＯＤＵアラーム表示用ＬＥＤ（橙）３２が消灯しかつＲＦ表示用ＬＥＤ（緑）３１が点灯している状態で、ＯＤＵ２１０のＬＥＤ表示部２１７を見た時に、受信レベル正常表示用ＬＥＤ（緑）１１が点灯し、かつ送信レベル異常表示用ＬＥＤ（橙）２２が点灯していれば（表図中の番号３のパターン）、ＯＤＵ２１０の故障であることが分かる。
【００９０】
同様に、ＩＤＵ２２０において、ＯＤＵアラーム表示用ＬＥＤ（橙）３２が点灯しかつＲＦ表示用ＬＥＤ（緑）３１が点灯している状態で、ＯＤＵ２１０のＬＥＤ表示部２１７を見た時に、受信レベル正常表示用ＬＥＤ（緑）１１が点灯し、かつ送信レベル異常表示用ＬＥＤ（橙）２２が点灯していれば（表図中の番号４のパターン）、ＯＤＵ２１０の故障であることが分かる。
【００９１】
また、ＩＤＵ２２０において、ＯＤＵアラーム表示用ＬＥＤ（橙）３２が消灯しかつＲＦ表示用ＬＥＤ（緑）３１が点灯している状態で、ＯＤＵ２１０のＬＥＤ表示部２１７を見た時に、受信レベル正常表示用ＬＥＤ（緑）１１が点灯し、かつ送信レベル正常表示用ＬＥＤ（緑）２１が消灯していれば（表図中の番号５のパターン）、ＩＤＵ２２０あるいはＯＤＵ２１０のいずれかが故障であること（ＩＤＵ２２０からＯＤＵ２１０への系の異常）が分かる。
【００９２】
また、ＩＤＵ２２０において、ＯＤＵアラーム表示用ＬＥＤ（橙）３２が点灯しかつＲＦ表示用ＬＥＤ（緑）３１が点灯している状態で、ＯＤＵ２１０のＬＥＤ表示部２１７を見た時に、受信レベル正常表示用ＬＥＤ（緑）１１が点灯し、かつ送信レベル正常表示用ＬＥＤ（緑）２１が消灯していれば（表図中の番号６のパターン）、ＯＤＵ２１０の故障であることが分かる。
【００９３】
また、ＩＤＵ２２０において、ＯＤＵアラーム表示用ＬＥＤ（橙）３２及びＲＦ表示用ＬＥＤ（緑）３１が共に消灯している状態で、ＯＤＵ２１０のＬＥＤ表示部２１７を見た時に、受信レベル正常表示用ＬＥＤ（緑）１１が点灯し、かつ送信レベル正常表示用ＬＥＤ（緑）２１が消灯していれば（表図中の番号７のパターン）、ＩＤＵ２２０あるいはＯＤＵ２１０のいずれかが故障であること（ＩＤＵ２２０からＯＤＵ２１０への系の異常）が分かる。
【００９４】
また、ＩＤＵ２２０において、ＯＤＵアラーム表示用ＬＥＤ（橙）３２が点灯しかつＲＦ表示用ＬＥＤ（緑）３１が消灯している状態で、ＯＤＵ２１０のＬＥＤ表示部２１７を見た時に、受信レベル正常表示用ＬＥＤ（緑）１１が点灯し、かつ送信レベル正常表示用ＬＥＤ（緑）２１が消灯していれば（表図中の番号８のパターン）、ＯＤＵ２１０とＩＤＵ２２０間のケーブル２３０の異常であることが分かる。
【００９５】
また、ＩＤＵ２２０において、ＯＤＵアラーム表示用ＬＥＤ（橙）３２及びＲＦ表示用ＬＥＤ（緑）３１が共に消灯している状態で、ＯＤＵ２１０のＬＥＤ表示部２１７を見た時に、受信レベル異常表示用ＬＥＤ（橙）１２が点灯し、かつ送信レベル正常表示用ＬＥＤ（緑）２１が消灯していれば（表図中の番号９のパターン）、ＯＤＵ２１０が対向している基地局１００との間の無線区間の異常（基地局１００の故障、干渉、アンテナ等）であることが分かる。
【００９６】
また、ＩＤＵ２２０において、ＯＤＵアラーム表示用ＬＥＤ（橙）３２が点灯しかつＲＦ表示用ＬＥＤ（緑）３１が消灯している状態で、ＯＤＵ２１０のＬＥＤ表示部２１７を見た時に、受信レベル異常表示用ＬＥＤ（橙）１２が点灯し、かつ送信レベル正常表示用ＬＥＤ（緑）２１が消灯していれば（表図中の番号１０のパターン）、無線区間、ＯＤＵ２１０、ケーブル２３０のいずれかが異常であることが分かる。
【００９７】
また、ＩＤＵ２２０において、ＯＤＵアラーム表示用ＬＥＤ（橙）３２が点灯しかつＲＦ表示用ＬＥＤ（緑）３１が消灯している状態で、ＯＤＵ２１０のＬＥＤ表示部２１７を見た時に、受信レベル正常表示用ＬＥＤ（橙）１１及び送信レベル正常表示用ＬＥＤ（緑）２１が共に消灯していれば（表図中の番号１１のパターン）、ＯＤＵ２１０とＩＤＵ２２０間のケーブル２３０の異常であることが分かる。
【００９８】
このように、本発明の加入者無線局２００では、ＩＤＵ２２０のＬＥＤ表示部２２７でのＬＥＤ表示パターンの他に、ＯＤＵ２１０のＬＥＤ表示部２１７におけるＬＥＤ表示パターンも加味しながら、ＯＤＵ２１０の異常、ＯＤＵ２１０とＩＤＵ２２０間のケーブル２３０の異常、無線区間の異常等、より細分化した故障個所の特定が行える。
【００９９】
これにより、ＩＤＵ２２０でＯＤＵアラーム発生時であっても、例えば、ＯＤＵ２１０のＬＥＤ表示部２１７の表示パターンを見ることにより、ケーブル２３０の異常と判定し得た場合等には、正常なＯＤＵ２１０を交換せずに済み、保守費用の高騰を抑えることができる。
【０１００】
また、本発明では、ＯＤＵ２１０やケーブル２３０の異常と切り分けて無線区間の異常を判定できるため、当該判定に至った場合は、通信事業者に基地局１００の点検等を依頼して、早急に、無線区間の異常を解消させ、加入者端末２４００を用いた正常通信に速やかに復帰することができるようになる。
【０１０１】
なお、本発明は、上記し、且つ図面に示す実施例に限定することなく、その要旨を変更しない範囲内で適宜変形して実施できるものである。
【０１０２】
例えば、上述した実施形態では、ＯＤＵ２１０のＬＥＤ表示部２１７に関し、受信レベルと送信レベルついてそれぞれ正常を表示する緑色ＬＥＤと異常を表示する橙色ＬＥＤを２つずつ合計４つ用いる構成としたが、その変形例としては、Power LEDを追加し、送信レベル、受信レベルの異常時のみ橙色のＬＥＤを点灯させるような合計３つのＬＥＤを用いた構成としても良い。また、ＬＥＤの色は様々な色が適用でき、また、ＬＥＤを用いた場合と同様の表示パターン数を満たせばＬＥＤ以外の表示手段を用いることもできる。
【０１０３】
【発明の効果】
以上説明したように、本発明によれば、屋内装置に、屋外装置から所定の信号が受信されているか否か、及び屋外装置が異常か否かを表示する表示手段を設けると共に、屋外装置に、受信レベルが異常か否か、及び送信レベルが異常か否かを表示する表示手段を設けたため、異常の発生時、ユーザは、屋内装置の表示手段及び屋外装置の表示手段の各表示パターンの組合せから、無線区間、屋外装置、屋外装置と屋内装置間のケーブル、屋内装置のうちのどの個所が異常なのかを細かく切り分けて判断できる。
この異常個所の切り分けの明確化により、無線区間や、屋外装置と屋内装置間のケーブル等が異常で屋外装置が正常な時に該屋外装置が交換されてしまう等の事態を回避でき、保守費用の削減並びに危険防止が図れると共に、無線区間の異常時には、通信事業者へ連絡して無線基地局の保守作業に当たらせる等により、正常通信へと迅速に復帰できる。
【図面の簡単な説明】
【図１】本発明に係わる無線アクセスシステムの全体構成を示す図。
【図２】基地局及び加入者無線局の概略構成を示す図。
【図３】加入者無線局の詳細構成を示すブロック図。
【図４】ＩＤＵ及びＯＤＵの各ＬＥＤ表示部のＬＥＤ配置構造を示す概念図。
【図５】ＯＤＵ及びＩＤＵの各動作状態とＬＥＤ表示パターンの定義内容を示す表図。
【図６】ＩＤＵ及びＯＤＵのＬＥＤ表示の組合せと故障個所の対応関係を示す表図。
【符号の説明】
１００，１００Ａ，１００Ｂ  基地局
１１０  屋内装置（ＩＤＵ：INDOOR UNIT）
１１１，１１１ａ，１１１ｂ，１１１ｃ，１１１ｄ  ＯＤＵ Ｉ／Ｆ（ODU Interface Unit）
１１２  ＡＩＵ（Air Interface Unit）
１１３  制御部
１２０，１２０ａ，１２０ｂ，１２０ｃ，１２０ｄ  屋外装置（ＯＤＵ：OUTDOOR UNIT）
２００，２００−１，２００−２，２００−３，２００−４，２００−１１，２００−１２，２００−１３，２００−１４  加入者無線局
２１０  屋外装置（ＯＤＵ）
２１１  スプリッタ
２１２  送信部
２１３  受信部
２１４  アンテナ共用器
２１５  アンテナ
２１６  制御部
２１６１  受信レベル／波形歪測定部
２１６２  送信レベル測定部
２１６３  表示制御部
２１７  ＬＥＤ表示部
２２０  屋内装置（ＩＤＵ）
２２１  スプリッタ
２２２  変調部
２２３  復調部
２２４  切換回路電源部
２２６  制御部
２２６１  ＲＦ信号検出部
２２６２  ＯＤＵアラーム検出部
２２６３  表示制御部
２２７  ＬＥＤ表示部
ＬＥＤ１１  受信レベル正常表示用ＬＥＤ（緑）
ＬＥＤ１２  受信レベル異常表示用ＬＥＤ（橙）
ＬＥＤ２１  送信レベル正常表示用ＬＥＤ（緑）
ＬＥＤ２２  送信レベル異常表示用ＬＥＤ（橙）
ＬＥＤ３１  ＲＦ表示用ＬＥＤ（緑）
ＬＥＤ３２  ＯＤＵアラーム表示用ＬＥＤ（橙）
２３０  ケーブル
２４０  加入者端末
３００  通信回線
４００  ＡＴＭ（非同期交換モード）スイッチ
５００  ネットワーク管理装置
６００  公衆ネットワーク
６１０  ＡＴＭ網
６２０  Ｉ−専用線網
６３０  インターネットやイントラネット等の通信網
６４０  フレームリレー網
６５０  Ｎ−ＩＳＤＮ
【図１】
0003959246.tif 000002
【図２】
0003959246.tif 000003
【図３】
0003959246.tif 000004
【図４】
0003959246.tif 000005
【図５】
0003959246.tif 000006
【図６】
0003959246.tif 000007